(57)【要約】【課題】  原稿又は記憶媒体を置き忘れる虞がない画像記録装置の提供。【解決手段】  画像又は画像データが記録され所定位置に載置又は装着された原媒体から、画像データを取得する取得手段と、取得手段が取得した画像データを他の媒体に記録する記録手段とを備える画像記録装置。原媒体を検知する検知手段（Ｓ３０）と、記録手段が画像データを記録した記録済み媒体の取り出しを制限する制限手段（Ｓ３０，３６）とを備え、検知手段（Ｓ３０）が原媒体を検知している間は、制限手段（Ｓ３０，３６）が媒体の取り出しを制限する構成である。【選択図】        図４
2005150981.tif 000002
【特許請求の範囲】
【請求項１】
画像又は画像データが記録され所定位置に載置又は装着された原媒体から、画像データを取得する取得手段と、該取得手段が取得した画像データを他の媒体に記録する記録手段とを備える画像記録装置において、
前記原媒体を検知する検知手段と、前記記録手段が画像データを記録した記録済み媒体の取り出しを制限する制限手段とを備え、前記検知手段が前記原媒体を検知している間は、前記制限手段が媒体の取り出しを制限すべくなしてあることを特徴とする画像記録装置。
【請求項２】
前記取得手段が原媒体から画像データを取得した後に、及び前記記録手段が、前記取得手段が取得した画像データの記録を開始した後、前記検知手段が原媒体を検知しているときに、該原媒体が所定位置に載置又は装着されていることを報知する手段を更に備える請求項１記載の画像記録装置。
【請求項３】
前記取得手段が取得した画像データを記憶する記憶手段を更に備え、前記記録手段は、該記憶手段が記憶している画像データを記録すべくなしてある請求項１又は２記載の画像記録装置。
【請求項４】
前記記憶手段が、前記取得手段が原媒体から取得した画像データを記憶した後は、前記記録手段は、前記検知手段が原媒体を検知しているか否かに拘わらず、前記画像データを記録すべくなしてある請求項３記載の画像記録装置。
【請求項５】
前記記録手段が、前記画像データを記録したときは、前記記憶手段が記憶している画像データを無効化すべくなしてある請求項３又は４記載の画像記録装置。
【請求項６】
前記記録手段が、前記画像データを記録したときに、前記検知手段が原媒体を検知しないときは、前記制限手段の制限を解除すべくなしてある請求項１乃至５の何れか１つに記載の画像記録装置。
【請求項７】
前記原媒体は原稿である請求項１乃至６の何れか１つに記載の画像記録装置。
【請求項８】
前記原媒体は記憶媒体である請求項１乃至６の何れか１つに記載の画像記録装置。
【発明の詳細な説明】
【技術分野】
【０００１】
本発明は、画像又は画像データが記録された原媒体から、画像データを取得する取得手段と、取得手段が取得した画像データを他の媒体に記録する記録手段とを備える複写装置又はプリンタ等の画像記録装置に関するものである。
【背景技術】
【０００２】
現在、複写装置は、コンビニエンスストア、文房具店、又はスーパーマーケット等、市中の不特定多数の場所に設置されており、一般の多数の使用者が原稿を持ち込んで気軽に複写を行うことができるようになっている。近年の複写装置は、デジタル化が進んでおり、原稿に記録された画像を走査して画像データとして取り込み、取り込んだ画像データに基づいて画像を形成して記録用紙に記録するコピー機能に加えて、通信回線を介して画像データを他の装置へ送信するファクシミリ機能、画像データを外部から受信して画像を記録するプリンタ機能等、複数の機能を備える機能複合型の複写装置が実用化されている。
【０００３】
この為、コピーのサービスに加えて、ファクシミリのサービス又は使用者が持ち込んだデータを出力するプリントサービスが、市中の複写装置を利用して実現されている。また、デジタル化と同様にカラー化も進んでおり、カラーコピーを行うことができる複写装置が、市中に設置され、ディジタルカメラ等が撮影した画像データを記憶した記憶メディアを、受け入れてカラープリントするサービスも行われるようになっている。
【特許文献１】特開昭５８−３０７７２号公報
【発明の開示】
【発明が解決しようとする課題】
【０００４】
複写装置の原稿画像読取装置にセットされた原稿は、通常、原稿カバーにより原稿が読み取り面に密接するように押圧される。その為、セットされた原稿が使用者から隠されてしまい、使用者が原稿を置き忘れることがあるという問題がある。コンビニエンスストア等の、ディジタル複写装置及びカラーディジタル複写装置等を利用したサービスでは、一般の使用者は、手軽に利用出来るものの、日頃使い慣れないので、原稿を置き忘れし勝ちである。特にコピーサービスでは、使用者が個人的な文書を原稿としてセットして使用する為、置き忘れるとプライバシー上大きな問題となる虞もある。
【０００５】
また、上述したディジタルカメラ等の画像データをカラープリントするサービスでは、使用者が、複写装置に装着した記憶メディアを忘れて帰る虞もある。特許文献１には、複写終了時から、原稿カバーが開かれずに所定時間が経過し、操作者が複写装置の付近に居ないとき、報知手段による警告を行ったり、複写終了時から、原稿カバーが開かれずに所定時間が経過したとき、報知手段による警告を行う複写装置が開示されている。しかし、このような報知手段では、ブザー等の音（警告音）による報知が効果的ではあるが、コンビニエンスストア等の店内においては、使用者本人は勿論のこと、他の買い物客を驚かして迷惑をかけるという問題がある。
【０００６】
また、使用者に対しても、客である以上、警告音のようなものを出すのは好ましくないが、ブザーによる報知が強制的に切られたりすると、問題は解決しない。また、ランプ等の警告手段を使用しても、警告手段としては完全なものとはならず、使用者がランプ等に気が付かない虞がある。本発明は、上述したような事情に鑑みてなされたものであり、原稿又は記憶媒体を置き忘れる虞がない画像記録装置を提供することを目的とする。
【課題を解決するための手段】
【０００７】
本発明に係る画像記録装置は、画像又は画像データが記録され所定位置に載置又は装着された原媒体から、画像データを取得する取得手段と、該取得手段が取得した画像データを他の媒体に記録する記録手段とを備える画像記録装置において、前記原媒体を検知する検知手段と、前記記録手段が画像データを記録した記録済み媒体の取り出しを制限する制限手段とを備え、前記検知手段が前記原媒体を検知している間は、前記制限手段が媒体の取り出しを制限すべくなしてあることを特徴とする。
【０００８】
この画像記録装置では、画像又は画像データが記録され所定位置に載置又は装着された原媒体から、取得手段が画像データを取得し、記録手段が、その取得した画像データを他の媒体に記録する。検知手段が、原媒体を検知し、制限手段が、記録手段が画像データを記録した記録済み媒体の取り出しを制限し、検知手段が原媒体を検知している間は、制限手段が媒体の取り出しを制限する。
【０００９】
本発明に係る画像記録装置は、前記取得手段が原媒体から画像データを取得した後に、及び前記記録手段が、前記取得手段が取得した画像データの記録を開始した後、前記検知手段が原媒体を検知しているときに、該原媒体が所定位置に載置又は装着されていることを報知する手段を更に備えることを特徴とする。
【００１０】
この画像記録装置では、取得手段が原媒体から画像データを取得した後に、及び記録手段が、取得手段が取得した画像データの記録を開始した後、検知手段が原媒体を検知しているときに、報知する手段が、原媒体が所定位置に載置又は装着されていることを報知する。
【００１１】
本発明に係る画像記録装置は、前記取得手段が取得した画像データを記憶する記憶手段を更に備え、前記記録手段は、該記憶手段が記憶している画像データを記録すべくなしてあることを特徴とする。
【００１２】
この画像記録装置では、記憶手段が、取得手段が取得した画像データを記憶し、記録手段が、記憶手段が記憶している画像データを記録する。
【００１３】
本発明に係る画像記録装置は、前記記憶手段が、前記取得手段が原媒体から取得した画像データを記憶した後は、前記記録手段は、前記検知手段が原媒体を検知しているか否かに拘わらず、前記画像データを記録すべくなしてあることを特徴とする。
【００１４】
この画像記録装置では、記憶手段が、取得手段が原媒体から取得した画像データを記憶した後は、記録手段が、検知手段が原媒体を検知しているか否かに拘わらず、画像データを記録する。
【００１５】
本発明に係る画像記録装置は、前記記録手段が、前記画像データを記録したときは、前記記憶手段が記憶している画像データを無効化すべくなしてあることを特徴とする。
【００１６】
この画像記録装置では、記録手段が、画像データを記録したときは、記憶手段が記憶している画像データを無効化する。
【００１７】
本発明に係る画像記録装置は、前記記録手段が、前記画像データを記録したときに、前記検知手段が原媒体を検知しないときは、前記制限手段の制限を解除すべくなしてあることを特徴とする。
【００１８】
この画像記録装置では、記録手段が画像データを記録したときに、検知手段が原媒体を検知しないときは、制限手段の制限を解除する。
【００１９】
本発明に係る画像記録装置は、前記原媒体は原稿であることを特徴とする。
【００２０】
本発明に係る画像記録装置は、前記原媒体は記憶媒体であることを特徴とする。
【発明の効果】
【００２１】
本発明に係る画像記録装置によれば、原稿又は記憶媒体を置き忘れる虞がない画像記録装置を実現することが出来る。
【００２２】
本発明に係る画像記録装置によれば、使用者に分かり易く、原稿又は記憶媒体を置き忘れる虞がない画像記録装置を実現することが出来る。
【００２３】
本発明に係る画像記録装置によれば、画像データを取得した以降は、記録している間に、原稿又は記憶媒体を取り除くことも出来、原稿又は記憶媒体を置き忘れる虞がない画像記録装置を実現することが出来る。また、使用者の使い方を制限するものではないので、操作性についても問題はない。
【００２４】
本発明に係る画像記録装置によれば、原稿又は記憶媒体を置き忘れる虞がない画像記録装置を実現することが出来る。また、装置内に取得された画像データは、媒体に記録された後は消去されるので、使用者は安心して利用することが出来る。
【００２５】
本発明に係る画像記録装置によれば、原稿を置き忘れる虞がない画像記録装置を実現することが出来る。
【００２６】
本発明に係る画像記録装置によれば、記憶媒体を置き忘れる虞がない画像記録装置を実現することが出来る。
【発明を実施するための最良の形態】
【００２７】
以下に、本発明を、その実施の形態を示す図面を参照しながら説明する。図１は、本発明に係る画像記録装置の実施の形態であるディジタル複合機の概略構成を示すブロック図である。このディジタル複合機１は、画像読取部２、カードリーダ３、操作部４、ファクシミリ用モデム５（ＦＡＸモデム）、画像形成部６、消去手段７、機器制御部８、制限部９、通信部１０、ハードディスク１２、徴収ユニット１３及び管理部１４を備えている。
【００２８】
画像読取部２は、図示しない原稿台上に載置された原稿を走査して画像データを取得する取得手段であり、例えばＣＣＤ（Charge Coupled Device）読取部２ａを備えており、走査して読み取った画像データを、画像形成部６の画像メモリ６ａへ与える。また、原稿検知センサ２ｂ（検知手段）を備え、原稿台上に載置された原稿を検知し、その検知信号を機器制御部８へ与える。
【００２９】
カードリーダ３は、ディジタルカメラのメモリカード等の記憶媒体から画像データを読み取り取得する取得手段であり、読み取った画像データを、画像形成部６の画像メモリ６ａへ与える。また、カード検知センサ３ａ（検知手段）を備え、カードリーダ３に装着された記憶媒体を検知し、その検知信号を機器制御部８へ与える。
【００３０】
操作部４は、各種入力キー等を有する入力部４ａと、ＬＣＤ（Liquid Crystal Display）等の表示手段を有する表示部４ｂとを備えており、ディジタル複合機１を操作する操作信号を受け入れて、機器制御部８へ与えると共に、その操作条件等を表示する。
【００３１】
ファクシミリ用モデム５は、機器制御部８に接続され、ディジタル複合機１外部の公衆回線網３０に接続されている。公衆回線網３０には、外部のファクシミリ装置３５，３５，…が接続されている。ディジタル複合機１は、ファクシミリ用モデム５に接続された公衆回線網３２を介して、画像読取部２が原稿を読みとって生成した画像データを、公衆回線網３２に接続された他のファクシミリ装置３５へファクシミリ通信で送信することが出来る。また、ファクシミリ装置３５からファクシミリ通信で送信された画像データを、ファクシミリ用モデム５で受信し、画像形成部６は、その受信した画像データから画像を形成して出力することが出来る。このように、ディジタル複合機１は、ファクシミリ装置の機能を備えている。
【００３２】
画像形成部６は、ＣＣＤ読取部２ａ、カードリーダ３ａ、ファクシミリ用モデム５、通信部１０及びハードディスク１２（記憶手段）からの画像データを一時的に記憶する揮発性の画像メモリ６ａと、画像メモリ６ａが記憶している画像データにより画像を用紙上に形成する、ＬＳＵ（レーザ走査ユニット）等からなる印字部６ｂとを備えている。また、必要に応じて、画像メモリ６ａが記憶している画像データの暗号化処理を行う暗号化部６ｃと、画像メモリ６ａが記憶している、外部から取得した暗号化された画像データの復号処理を行う復号部６ｄとを備えている。
【００３３】
ハードディスク１２は、画像メモリ６ａからの画像データを記憶する。消去手段７は、ハードディスク１２が記憶している画像データの画像を、画像形成部６が用紙上に形成した後、及びハードディスク１２が記憶している画像データがファクシミリ用モデム５又は通信部１０から送信された後、ハードディスク１２が記憶しているその画像データを、ランダムなデータを上書きする等により消去（無効化）する。
【００３４】
通信部１０は、機器制御部８に接続され、ディジタル複合機１外部のＬＡＮ（Local Area Network）等のネットワーク３１に接続されている。ネットワーク３１には、パーソナルコンピュータ（ＰＣ）等の情報処理端末３３，３４，…が接続され、更に、インターネット３２を通じてインターネットファクシミリ装置３６及び他のパーソナルコンピュータ３７等と接続されている。
【００３５】
制限部９（制限手段）は、画像形成部６の印字部６ｂが画像を記録し、トレイ９ａに排出した用紙（他の媒体）を、機器制御部８からの指示信号により、使用者が取り上げることを制限する。制限する際は、例えば、トレイ９ａを覆うボックスを、閉状態で固定し、制限しないときは、ボックスを開放状態にし、トレイ９ａが有する用紙センサ９ｂが用紙を検知しなくなると、閉状態で固定する。用紙センサ９ｂの検知信号は機器制御部８に与えられる。管理部１４は、機器制御部８に接続され、保守作業の履歴を記憶し、ディジタル複合機１全体を管理すると共に、不要となったデータの消去処理等の管理を行う。
【００３６】
徴収ユニット１３は、機器制御部８に接続され、ディジタル複合機１が行う処理に課金される対価を徴収する。徴収ユニット１３は、貨幣またはプリペイドカード等の有価物を受け付ける手段を備えている。機器制御部８は、徴収ユニット１３が受け付けている有価物に対してディジタル複合機１が行う処理の対価を課金し、徴収ユニット１３は、課金された対価を有価物から徴収する。
【００３７】
ディジタル複合機１を複写装置として使用する場合には、画像読取部２にて読み取られた原稿の画像データが、画像形成部６で用紙に複写されて出力される。画像読取部２では、ＣＣＤ読取部２ａが、読み取り位置にセットされた原稿の画像を電子的に読み取る。読み取られた原稿の画像データは、画像メモリ６ａ上に出力画像として形成され、一旦ハードディスク１２に記憶される。原稿が複数ある場合は、この読み取り、記憶の動作が繰り返される。
【００３８】
その後、操作部４から指示された処理モードに基づいて、ハードディスク１２に記憶された画像データが適切なタイミングで順次読み出され、画像メモリ６ａに送られる。そして、印字部６ｂの書き込みタイミングに合わせて、画像データが画像メモリ６ａから印字部６ｂへと転送される。
【００３９】
また、読み取った画像データを複数枚印刷する場合も、同様に出力画像としてページ単位でハードディスク１２に記憶され、出力するモードに合わせて、ハードディスク１２から画像メモリ６ａに送られ、出力枚数の分だけ繰り返し印字部６ｂの書き込みタイミングに合わせて、印字部６ｂへ転送される。
【００４０】
ディジタル複合機１をプリンタとして使用する場合には、カードリーダ３が読み取った画像データ、又は通信部１０で受信した画像データが、画像メモリ６ａ等を介して、画像形成部６で用紙に印刷されて出力される。
【００４１】
通信部１０は、ネットワーク３１上に接続されたパーソナルコンピュータ等の端末３３，３４から画像データを受信する。通信部１０で受信された画像データは、出力する画像データとして、ページ単位に画像メモリ６ａに送られ、一旦ハードディスク１２に記憶される。そして、再びハードディスク１２から画像メモリ６ａに送られ、複写装置として使用する場合と同様にして、印字部６ｂへと転送される。
【００４２】
ディジタル複合機１をネットワークスキャナとして使用する場合には、画像読取部２で読み取られた原稿の画像データを、通信部１０からネットワーク３１を介して、任意のパーソナルコンピュータ等の端末３３，３４へ送信することが出来る。この場合も、画像読取部２のＣＣＤ読取部２ａにより原稿の画像データを読み取る。読み取られた画像データは、画像メモリ６ａ上に出力画像として形成され、一旦ハードディスク１２に記憶される。そして、再びハードディスク１２から画像メモリ６ａに送られ、操作部４から指示された送信先との通信を確立させた上で、通信部１０から目的とする送信先へと送信される。      
【００４３】
尚、ここでは、画像データを一時的に保存する記憶装置用に、ハードディスク１２を備えたディジタル複合機１として説明しているが、ハードディスク１２に限らず、装置本体から取り外されても、保存された画像データを保持することが出来る不揮発性のメモリ、バックアップ機能の付いたメモリ、又は磁気記憶媒体を用いたその他の記憶装置（媒体）等を備えている場合についても、同様に適用することが可能である。
【００４４】
ディジタル複合機１の各構成部は、機器制御部８により制御され、機器制御部８は、操作部４に設けられたタブレット及びキー群等の入力部４ａからの指示操作を監視すると共に、表示部４ｂにより、ディジタル複合機１の状態に関する情報等、使用者に通知すべき情報を案内表示する。
【００４５】
図２は、操作部４を詳細に示す説明図である。操作部４（操作パネル）は、図１において説明したように、入力部４ａ及び表示部４ｂを備えている。表示部４ｂは、ドットマトリックスタイプの液晶パネル２１（報知する手段）により構成されており、ディジタル複合機１が使用者に対して報知すべき情報を詳細に案内表示する。また、この液晶パネル２１は、その画面上に透明なタッチパネルが設けられており、使用者が、液晶パネル２１上に表示される情報に従って、タッチパネルを操作すると、その操作情報が指示情報として入力される入力部４ａの一部としても機能する。
【００４６】
入力部４ａには、他に、液晶パネル２１に隣接して配置されたキー群が有り、コピースタートを指示する為のスタートキー１６、実行中の処理を中断させる為のクリアオールキー１７、指示したモードの内容をクリアするクリアキー１８、コピー枚数等を指示する為のテンキー２２、モード毎の切り換えキー２３ａ、２３ｂ、２３ｃ及びユーザ設定キー２４等が含まれる。
【００４７】
以下に、このような構成のディジタル複合機１の動作を、それを示す図３〜６のフローチャートを参照しながら説明する。図３，４は、ディジタル複合機１の、原稿の画像データを読み取り、読み取った画像データを用紙に複写して出力するコピー動作を示すフローチャートである。機器制御部８は、図示しない原稿台上に原稿がセットされ（Ｓ２）、原稿検知センサ２ｂが原稿を検知したとき（Ｓ４）、徴収ユニット１３において投入された料金（Ｓ６）の金額が不足しているか否かを判定し（Ｓ８）、不足していなければ、コピースイッチ（スタートキー１６）がオンされる迄待機する（Ｓ１０）。投入された料金（Ｓ６）の金額が不足していれば（Ｓ８）、金額が足りる迄、待機する。
【００４８】
機器制御部８は、コピースイッチがオンされると（Ｓ１０）、原稿読取部２で原稿を走査（スキャン）して画像データを読み取らせ（Ｓ１２）、画像メモリ６ａ経由でハードディスク１２（メモリ）へ一時保存させた（Ｓ１４）後、液晶パネル２１に、原稿を受け取るように表示を行う（Ｓ１６）。機器制御部８は、コピースイッチがオンされる迄待機している間に（Ｓ１０）、クリアキー１８が操作されてキャンセルされると（Ｓ２０）、投入された料金（Ｓ６）を返金して（Ｓ２２）終了する。
【００４９】
機器制御部８は、液晶パネル２１に、原稿を受け取るように表示した（Ｓ１６）後、画像形成部６で画像データに基づく用紙への画像の記録（プリント）を開始させる（Ｓ１８）。機器制御部８は、用紙への画像の記録を開始させた（Ｓ１８）後は、液晶パネル２１に“プリント中”を表示させる（Ｓ２４）。機器制御部８は、画像形成部６で画像データに基づく用紙への画像の記録（プリント）が完了すると（Ｓ２６）、ハードディスク１２（メモリ）内のその画像データをクリアして無効化する（Ｓ２８）。
【００５０】
機器制御部８は、画像形成部６で画像データに基づく用紙への画像の記録が行われている間（Ｓ２６）、投入された料金（Ｓ６）の金額が不足する可能性があるか否かを判定し（Ｓ３８）、不足する可能性があれば、画像形成部６での記録（プリント）動作を中断し（Ｓ４０）、不足分の料金が投入される迄待機する（Ｓ４４）。機器制御部８は、不足分の料金が投入されると（Ｓ４４）、画像形成部６で残りの画像データに基づく用紙への画像の記録（プリント）を再開させる（Ｓ１８）。
【００５１】
機器制御部８は、不足分の料金が投入される迄待機している間に（Ｓ４４）、クリアキー１８が操作されてキャンセルされた（Ｓ４２）とき、ハードディスク１２（メモリ）内のその画像データをクリアして無効化する（Ｓ２８）。機器制御部８は、ハードディスク１２（メモリ）内のその画像データをクリアした（Ｓ２８）後、原稿検知センサ２ｂが原稿を検知しているか否かを判定することにより、使用者が原稿を受け取ったか否かを判定する（Ｓ３０）。
【００５２】
機器制御部８は、使用者が原稿を受け取っていれば（Ｓ３０）、制限部９のボックスを開放する（Ｓ３２）。使用者が原稿を受け取っていなければ（Ｓ３０）、受け取る迄、液晶パネル２１に、原稿を受け取るように表示（報知）を行い（Ｓ４６）、使用者が原稿を受け取れば（Ｓ３０）、制限部９のボックスを開放する（Ｓ３２）。尚、使用者が原稿を受け取ったか否かの判定（Ｓ３０）、及び原稿を受け取るようにとの表示（Ｓ４６）は、画像データをハードディスク１２へ一時保存させた（Ｓ１４）後であれば、いつでも何回でも実行して良いが、用紙への画像の記録（プリント）が完了する（Ｓ２６）頃に実行するのが効果的である。
【００５３】
機器制御部８は、次いで、トレイ９ａの用紙センサ９ｂの検知動作により、画像が記録された用紙（記録物）を使用者が受け取ったか否かを判定し（Ｓ３４）、受け取っていれば、制限部９のボックスを閉状態（ロック）にして（Ｓ３６）終了する。受け取っていなければ、受け取る迄、液晶パネル２１に、記録物を受け取るように表示（報知）を行い（Ｓ４８）、使用者が記録物を受け取れば（Ｓ３４）、制限部９のボックスを閉状態（ロック）にして（Ｓ３６）終了する。
【００５４】
図５，６は、ディジタル複合機１の、カードリーダ３が読み取った画像データを用紙に印刷して出力するプリント動作を示すフローチャートである。機器制御部８は、カードリーダ３にメディア（メモリカード等；記憶媒体）がセットされ（Ｓ５０）、カード検知センサ３ａがメディアを検知したとき（Ｓ５２）、徴収ユニット１３において投入された料金（Ｓ５４）の金額が不足しているか否かを判定する（Ｓ５６）。投入された料金（Ｓ５４）の金額が不足していなければ、プリントスイッチ（スタートキー１６）がオンされる迄待機する（Ｓ５８）。投入された料金（Ｓ５４）の金額が不足していれば（Ｓ５６）、金額が足りる迄、待機する。
【００５５】
機器制御部８は、プリントスイッチがオンされると（Ｓ５８）、カードリーダ３でメディアから画像データを取り込ませ（読み取らせ）（Ｓ６０）、画像メモリ６ａ経由でハードディスク１２（メモリ）へ一時保存させた（Ｓ６２）後、液晶パネル２１に、メディアを受け取るように表示を行う（Ｓ６４）。機器制御部８は、プリントスイッチがオンされる迄待機している間に（Ｓ５８）、クリアキー１８が操作されてキャンセルされると（Ｓ６８）、投入された料金（Ｓ５４）を返金して（Ｓ７０）終了する。
【００５６】
機器制御部８は、液晶パネル２１に、メディアを受け取るように表示した（Ｓ６４）後、画像形成部６で画像データに基づく用紙への画像の記録（プリント）を開始させる（Ｓ６６）。機器制御部８は、用紙への画像の記録を開始させた（Ｓ６６）後は、液晶パネル２１に“プリント中”を表示させる（Ｓ７２）。機器制御部８は、画像形成部６で画像データに基づく用紙への画像の記録（プリント）が完了すると（Ｓ７４）、ハードディスク１２（メモリ）内のその画像データをクリアして無効化する（Ｓ７６）。
【００５７】
機器制御部８は、画像形成部６で画像データに基づく用紙への画像の記録が行われている間（Ｓ７４）、投入された料金（Ｓ５４）の金額が不足する可能性があるか否かを判定し（Ｓ８６）、不足する可能性があれば、画像形成部６での記録（プリント）動作を中断し（Ｓ８８）、不足分の料金が投入される迄待機する（Ｓ９２）。機器制御部８は、不足分の料金が投入されると（Ｓ９２）、画像形成部６で残りの画像データに基づく用紙への画像の記録（プリント）を再開させる（Ｓ６６）。
【００５８】
機器制御部８は、不足分の料金が投入される迄待機している間に（Ｓ９２）、クリアキー１８が操作されてキャンセルされた（Ｓ９０）とき、ハードディスク１２（メモリ）内のその画像データをクリアして無効化する（Ｓ７６）。機器制御部８は、ハードディスク１２（メモリ）内のその画像データをクリアした（Ｓ７６）後、カード検知センサ３ａがメディアを検知しているか否かを判定することにより、使用者がメディアを受け取ったか否かを判定する（Ｓ７８）。
【００５９】
機器制御部８は、使用者がメディアを受け取っていれば（Ｓ７８）、制限部９のボックスを開放する（Ｓ８０）。使用者がメディアを受け取っていなければ（Ｓ７８）、受け取る迄、液晶パネル２１に、メディアを受け取るように表示（報知）を行い（Ｓ９４）、使用者がメディアを受け取れば（Ｓ７８）、制限部９のボックスを開放する（Ｓ８０）。尚、使用者がメディアを受け取ったか否かの判定（Ｓ７８）、及びメディアを受け取るようにとの表示（Ｓ９４）は、画像データをハードディスク１２へ一時保存させた（Ｓ６２）後であれば、いつでも何回でも実行して良いが、用紙への画像の記録（プリント）が完了する（Ｓ７４）頃に実行するのが効果的である。
【００６０】
機器制御部８は、次いで、トレイ９ａの用紙センサ９ｂの検知動作により、画像が記録された用紙（記録物）を使用者が受け取ったか否かを判定し（Ｓ８２）、受け取っていれば、制限部９のボックスを閉状態（ロック）にして（Ｓ８４）終了する。受け取っていなければ、受け取る迄、液晶パネル２１に、記録物を受け取るように表示（報知）を行い（Ｓ９６）、使用者が記録物を受け取れば（Ｓ８２）、制限部９のボックスを閉状態（ロック）にして（Ｓ８４）終了する。尚、上述した実施の形態では、コイン投入式の形態を説明したが、コイン投入式でなくても良いのはいうまでもない。
【図面の簡単な説明】
【００６１】
【図１】本発明に係る画像記録装置の実施の形態であるディジタル複合機の概略構成を示すブロック図である。
【図２】図１に示すディジタル複合機の操作部を詳細に示す説明図である。
【図３】本発明に係る画像記録装置の実施の形態であるディジタル複合機のコピー動作を示すフローチャートである。
【図４】本発明に係る画像記録装置の実施の形態であるディジタル複合機のコピー動作を示すフローチャートである。
【図５】本発明に係る画像記録装置の実施の形態であるディジタル複合機のプリント動作を示すフローチャートである。
【図６】本発明に係る画像記録装置の実施の形態であるディジタル複合機のプリント動作を示すフローチャートである。
【符号の説明】
【００６２】
１  ディジタル複合機（画像記録装置）
２  画像読取部（取得手段）
２ａ  ＣＣＤ読取部
２ｂ  原稿検知センサ（検知手段）
３  カードリーダ（取得手段）
３ａ  カード検知センサ（検知手段）
４  操作部
４ａ  入力部
４ｂ  表示部
６  画像形成部
６ａ  画像メモリ
６ｂ  印字部
７  消去手段
８  機器制御部
９  制限部（制限手段）
９ａ  トレイ
９ｂ  用紙センサ
１２  ハードディスク（記憶手段）
１３  徴収ユニット
２１  液晶パネル（報知する手段）
【図１】
2005150981.tif 000003
【図２】
2005150981.tif 000004
【図３】
2005150981.tif 000005
【図４】
2005150981.tif 000006
【図５】
2005150981.tif 000007
【図６】
2005150981.tif 000008